(57)【要約】      （修正有）【課題】クリスマスリースなどの装飾品において、コンパクトな電源装置でワイヤーライトによる演出と模擬キャンドルによる演出とを同時に、且つ、安定して作動することができる電飾装置及びこれを用いた装飾品を提供する。【解決手段】給電ワイヤー１１と当該給電ワイヤー１１に間隔を置いて装着された複数の発光ダイオードとを備えたワイヤーライト１０、キャンドル筒本体２１と当該キャンドル筒本体２１の上端部に支持されて遊動する模擬炎２２と当該模擬炎２２を照明するスポットライトとを備えた模擬キャンドル２０、ワイヤーライト１０と模擬キャンドル２０とによる電飾を作動するためのバッテリーを収容したバッテリーケース３０、４０、模擬炎２２の動きを制御する揺らぎ発生コイルとスポットライトとの作動を制御するキャンドル制御回路、及び、バッテリーケース３０、４０からの直流電圧を安定化するＤＣ−ＤＣコンバータを有している。【選択図】図１
0003205849.tif 000002
【実用新案登録請求の範囲】
【請求項１】
クリスマスリースなどの装飾品を照明により演出するための電飾装置であって、
給電ワイヤーと当該給電ワイヤーに間隔を置いて装着された複数の発光ダイオードとを備えたワイヤーライト、
キャンドル筒本体と当該キャンドル筒本体の上端部に支持されて遊動する模擬炎と当該模擬炎を照明するスポットライトとを備えた模擬キャンドル、
前記ワイヤーライトと前記模擬キャンドルとによる電飾を作動するためのバッテリーを収容したバッテリーケース、
前記模擬炎の動きを制御する揺らぎ発生コイルと当該模擬炎を照明する前記スポットライトとの作動を制御するキャンドル制御回路、及び、
前記バッテリーケースからの直流電圧を安定化するＤＣ−ＤＣコンバータを有し、
前記ＤＣ−ＤＣコンバータによって安定化された電圧によって前記ワイヤーライトと前記模擬キャンドルとを同時に作動することを特徴とする電飾装置。
【請求項２】
前記バッテリーケースは、それぞれに電池を２本収容できる２つの電池ケースからなり、
当該２つの電池ケースには、収容された４本の電池を２本ずつ直列に配すると共に、これら２列の直列電池を並列に配して収容していることを特徴とする請求項１に記載の電飾装置。
【請求項３】
前記ワイヤーライトと前記模擬キャンドルとによる電飾の作動時間を制御する作動時間制御回路を有し、
当該作動時間制御回路を前記電池ケースに収容すると共に、前記キャンドル制御回路及びＤＣ−ＤＣコンバータを前記キャンドル筒本体に収容していることを特徴とする請求項１又は２に記載の電飾装置。
【請求項４】
前記電池ケース及び模擬キャンドルは、それぞれを装飾品に固定するための支持具を具備していることを特徴とする請求項１〜３のいずれか１つに記載の電飾装置。
【請求項５】
請求項１〜４に記載の電飾装置を装着してなる装飾品であって、
前記ワイヤーライトの発光ダイオード及び前記模擬キャンドルは、当該装飾品の正面に目視できる状態で配され、
前記バッテリーケースは、当該装飾品の背面に正面から目視できない状態で配されていることを特徴とする装飾品。
【考案の詳細な説明】
【技術分野】
【０００１】
本考案は、電飾装置及びこれを用いた装飾品に関するものである。特に、ワイヤーライトと模擬キャンドルとを有して、クリスマスリースなどの装飾品を照明により演出するための電飾装置に関するものである。
【背景技術】
【０００２】
クリスマスツリーやクリスマスリースなどの装飾品には、花や木の実、或いは色々な小物により賑やかな装飾が施されている。特に、クリスマスツリーには、豆電球や発光ダイオード光源（以下「ＬＥＤライト」ともいう）を多数装着した電飾装置（「ワイヤーライト」を含む）を用いてライトアップによる艶やかな電飾が施されることが多い。
【０００３】
また、近年ではクリスマスリースにもクリスマスツリーと同様に電飾装置による装飾が施されるようになった。これらは、ＬＥＤライトや光ファイバーによる電飾装置の小型化が可能になったことなどによる。例えば、下記特許文献１及び２においては、クリスマスリースの葉材部に光ファイバーを合わせ入れたクリスマス用飾りが提案されている。このクリスマス用飾りは、クリスマスリースの本体背面部に乾電池を取り付けることにより、光ファイバーが発光するというものである。
【０００４】
下記特許文献１及び２に記載のクリスマス用飾りにおいては、クリスマスリースが光ファイバーにより豪華に電飾されている。しかし、これらの電飾を更に華やかに、また人目を引くようなものにしたいという要求がある。例えば、クリスマスに相応しいキャンドルを装飾したいという要求などがある。しかし、小物が多く壁掛けなどとして飾り付けられるクリスマスリースや、これよりも大きく床置きが可能なクリスマスツリーなどにおいても、火災防止の意味から炎の付いたキャンドルを装飾することはできない。
【０００５】
一方、下記特許文献３においては、実際の炎ではなく安全な模擬炎が揺らぐ運動学的な炎装置が提案されている。この炎装置（「模擬キャンドル」といえる）は、実際のキャンドルを模倣して作製されたハウジング（「キャンドル筒本体」といえる）の上端部に炎シルエット要素（「模擬炎」といえる）を支持し、時間変化する電磁場と磁石の作用により模擬炎が遊動するように揺れ動く。更に、遊動する模擬炎にスポットライトを当てることにより、キャンドルの炎が揺らいでいるように演出するというものである。
【０００６】
ところで、下記特許文献１及び２で提案されるクリスマスリースにおいては、光ファイバーと電飾制御回路と電源装置（この場合は乾電池）とが一体となっている。一方、下記特許文献３に提案される模擬キャンドルにおいては、大きなキャンドル筒本体に模擬炎遊動機構、揺らぎ制御回路、光源、光源制御回路、及び電源装置（この場合は電池）の全てが内蔵されている。
【０００７】
従って、１つのクリスマスリースやクリスマスツリーにおいて、ワイヤーライトによる電飾と模擬キャンドルによる電飾を同時に装飾することは、電源装置の数やキャンドル筒本体のサイズからして相当に難しい。特に、小物が多く壁掛けなどとして飾り付けられるクリスマスリースにおいては、ワイヤーライトに加えて模擬炎遊動機構や光源と複数の制御回路と電源装置とを内蔵した比較的大きな模擬キャンドルを装飾することは難しい。
【０００８】
そこで、本考案者は、下記特許文献４において、１組の電源装置でワイヤーライトによる演出と模擬キャンドルによる演出とを同時に作動することができる電飾装置及びこれを用いた装飾品を提案した。
【先行技術文献】
【特許文献】
【０００９】
【特許文献１】意匠登録第１１５２４８６号公報
【特許文献２】意匠登録第１１５２４８７号公報
【特許文献３】特表２０１２−５０４３１０号公報
【特許文献４】実願２０１６−００１４２４号
【考案の概要】
【考案が解決しようとする課題】
【００１０】
ところで、上記特許文献４で提案した電飾装置においては、１組の電源装置からの電圧をワイヤーライト及び模擬キャンドルの両方に印加する。このとき、電源装置のコンパクト化のためには、電池などの電源の数が制約される。また、必要な電圧を確保するために電池を直列にして使用する。このとき、電池の電圧が高く維持されているうちは、ワイヤーライト及び模擬キャンドルによる電飾に問題はない。
【００１１】
一方、長時間の使用により電池が消耗して電圧が低下した場合には、特にワイヤーライトの電飾に影響が及び、場合によっては発光ダイオードが不自然な点滅を起こすことがある。これは、模擬キャンドルの揺らぎ発生コイルによる電圧変動の影響と考えられる。このように、電池などの電源の数の制約から、安定した電圧を長時間維持することが難しいという問題があった。
【００１２】
そこで、本考案は、以上のようなことに対処して、クリスマスリースなどの装飾品において、コンパクトな電源装置でワイヤーライトによる演出と模擬キャンドルによる演出とを同時に、且つ、安定して作動することができる電飾装置及びこれを用いた装飾品を提供することを目的とする。
【課題を解決するための手段】
【００１３】
上記課題の解決にあたり、本考案者は、鋭意研究の結果、コンパクトな電池ケースを利用して、ワイヤーライトと模擬キャンドルとを同時に作動することのできる電力を確保すると共に、電圧の安定化と節電の効果を有する回路を組み入れることにより上記目的を達成できることを見出し本考案の完成に至った。
【００１４】
即ち、本考案に係る電飾装置は、請求項１の記載によると、
クリスマスリースなどの装飾品（５０）を照明により演出するための電飾装置（１００）であって、
給電ワイヤー（１１）と当該給電ワイヤーに間隔を置いて装着された複数の発光ダイオード（１２）とを備えたワイヤーライト（１０）、
キャンドル筒本体（２１）と当該キャンドル筒本体の上端部に支持されて遊動する模擬炎（２２）と当該模擬炎を照明するスポットライト（２７）とを備えた模擬キャンドル（２０）、
前記ワイヤーライトと前記模擬キャンドルとによる電飾を作動するためのバッテリーを収容したバッテリーケース（３０、４０）、
前記模擬炎の動きを制御する揺らぎ発生コイル（２６）と当該模擬炎を照明する前記スポットライト（２７）との作動を制御するキャンドル制御回路（２５）、及び、
前記バッテリーケースからの直流電圧を安定化するＤＣ−ＤＣコンバータ（１５）を有し、
前記ＤＣ−ＤＣコンバータによって安定化された電圧によって前記ワイヤーライトと前記模擬キャンドルとを同時に作動することを特徴とする。
【００１５】
また、本考案は、請求項２の記載によると、請求項１に記載の電飾装置であって、
前記バッテリーケースは、それぞれに電池を２本収容できる２つの電池ケースからなり、
当該２つの電池ケースには、収容された４本の電池を２本ずつ直列に配すると共に、これら２列の直列電池を並列に配して収容していることを特徴とする。
【００１６】
また、本考案は、請求項３の記載によると、請求項１又は２に記載の電飾装置であって、
前記ワイヤーライトと前記模擬キャンドルとによる電飾の作動時間を制御する作動時間制御回路（３５）を有し、
当該作動時間制御回路を前記電池ケースに収容すると共に、前記キャンドル制御回路及びＤＣ−ＤＣコンバータを前記キャンドル筒本体に収容していることを特徴とする。
【００１７】
また、本考案は、請求項４の記載によると、請求項１〜３のいずれか１つに記載の電飾装置であって、
前記電池ケース及び模擬キャンドルは、それぞれを装飾品に固定するための支持具（２８、４３）を具備していることを特徴とする。
【００１８】
また、本考案に係る装飾品は、請求項５の記載によると、
請求項１〜４に記載の電飾装置を装着してなる装飾品（５０）であって、
前記ワイヤーライトの発光ダイオード及び前記模擬キャンドルは、当該装飾品の正面に目視できる状態で配され、
前記バッテリーケースは、当該装飾品の背面に正面から目視できない状態で配されていることを特徴とする。
【考案の効果】
【００１９】
上記構成によれば、電飾装置は、ワイヤーライト、模擬キャンドル、バッテリーケース、キャンドル制御回路、及び、ＤＣ−ＤＣコンバータを有している。ワイヤーライトは、給電ワイヤーと当該給電ワイヤーに間隔を置いて装着された複数の発光ダイオードを備えている。模擬キャンドルは、キャンドル筒本体と当該キャンドル筒本体の上端部に支持されて遊動する模擬炎と当該模擬炎を照明するスポットライトとを備えている。バッテリーケースは、ワイヤーライトと模擬キャンドルとによる電飾を作動するためのバッテリーを収容している。
【００２０】
キャンドル制御回路は、模擬炎の動きを制御する揺らぎ発生コイルと当該模擬炎を照明するスポットライトとの作動を制御する。ＤＣ−ＤＣコンバータは、バッテリーケースからの直流電圧を安定化する。これらのことにより、ＤＣ−ＤＣコンバータによって安定化された電圧によってワイヤーライトによる演出と模擬キャンドルによる演出とを同時に、且つ、安定して作動することができる。
【００２１】
また、上記構成によれば、電飾装置のバッテリーケースは、それぞれに電池を２本収容できる２つの電池ケースからなる。また、これら２つの電池ケースに収容された４本の電池は、２本ずつ直列に配される共に、これら２列の直列電池は並列に配されている。このことにより、コンパクトなバッテリーケースにおいても、ワイヤーライトによる演出と模擬キャンドルによる演出とを同時に長時間安定して作動することができる。
【００２２】
また、上記構成によれば、電飾装置は、作動時間制御回路を有している。この作動時間制御回路は、ワイヤーライトと模擬キャンドルとによる電飾の作動時間を制御する。このことにより、電飾装置を所定時間でＯＦＦすることができ無駄な電力消費を抑えることができる。
【００２３】
また、上記構成によれば、電飾装置は、作動時間制御回路を電池ケースに収容すると共に、キャンドル制御回路及びＤＣ−ＤＣコンバータをキャンドル筒本体に収容する。これらのことにより、電飾装置がコンパクトな構成となると共にキャンドル筒本体も細く小さくすることができる。
【００２４】
また、上記構成によれば、電飾装置が有する電池ケース及び模擬キャンドルは、それぞれを装飾品に固定するための支持具を具備している。このことにより、装飾品への電飾装置の装着が容易となり、ワイヤーライトによる演出と模擬キャンドルによる演出とがより効果的となる。
【００２５】
また、上記構成の電飾装置を装着した装飾品において、ワイヤーライトの発光ダイオード及び模擬キャンドルは、当該装飾品の正面に目視できる状態で配されている。また、バッテリーケースは、当該装飾品の背面に正面から目視できない状態で配されている。このように、コンパクトな電飾装置においては、その装着が容易となり、ワイヤーライトによる演出と模擬キャンドルによる演出とがより効果的となる。
【００２６】
よって、本考案によれば、クリスマスリースなどの装飾品において、コンパクトな電源装置でワイヤーライトによる演出と模擬キャンドルによる演出とを同時に、且つ、安定して作動することができる電飾装置及びこれを用いた装飾品を提供することができる。
【図面の簡単な説明】
【００２７】
【図１】本考案に係る電飾装置の１実施形態を示す概要図である。
【図２】本考案に係る電飾装置の電気回路を示すブロック図である。
【図３】図１の電飾装置の電池ケースをクリスマスリースの背面に装着する状態を示す概要図である。
【図４】図１の電飾装置のワイヤーライトをクリスマスリースの正面に装着する状態を示す概要図である。
【図５】図１の電飾装置の模擬キャンドルをクリスマスリースの中央空間に装着する状態を示す概要図である。
【図６】図１の電飾装置を装着した実施例１に係るクリスマスリースを正面から写した写真である。
【図７】図６のクリスマスリースを背面から写した写真である。
【図８】図６のクリスマスリースを右側面から写した写真である。
【考案を実施するための形態】
【００２８】
以下、本考案に係る電飾装置の１実施形態を図面により説明する。また、この実施形態に係る電飾装置を装着した装飾品を実施例１として説明する。なお、本考案は、下記の実施形態及び実施例に限定されるものではない。
【００２９】
図１は、本考案に係る電飾装置の１実施形態を示す概要図である。図１において、電飾装置１００は、ワイヤーライト１０、模擬キャンドル２０、２つの電池ケース３０、４０、及び、各種制御回路（後述する）を有している。
【００３０】
ワイヤーライト１０は、＋側と−側の２本からなる給電ワイヤー１１と、これに接続された複数のＬＥＤライト１２（「リース用ＬＥＤ１２」ともいう）とを備えている。給電ワイヤー１１は、その端部が脱着可能なコネクタ１４を介して模擬キャンドル２０から伸びる給電コード１３に接続されている。この給電コード１３については後述する。
【００３１】
リース用ＬＥＤ１２は、消費電力の少ない発光ダイオード（Ｌｉｇｈｔ  Ｅｍｉｔｔｉｎｇ  Ｄｉｏｄｅ）を光源としたもので、多数のＬＥＤライトが乾電池などの僅かの電源で長時間作動することができる。なお、リース用ＬＥＤ１２の発色光の色彩は、白色光、赤色光、青色光、黄色光などでもよく、或いは、これらの色彩に限定することなく、任意の色彩、任意の組み合わせを選定することができる。また、リース用ＬＥＤ１２の個数、及びワイヤーライト１０の長さについても特に限定するものではなく、クリスマスリースなどの装飾品のサイズに合わせて適宜選定すればよい。例えば、本実施形態においては、２０球のリース用ＬＥＤ１２を備えたワイヤーライト１０を使用する。
【００３２】
図１において、模擬キャンドル２０は、キャンドル筒本体２１と模擬炎２２とスポットライト（図示しない）と模擬炎遊動機構（図示しない）とキャンドル支持具（図示しない）とを備えている。なお、模擬キャンドル２０は、給電コード２３により脱着可能なコネクタ２４を介して電池ケース３０から伸びる給電コード３３に接続されている。この給電コード３３については後述する。
【００３３】
このように、模擬キャンドル２０と電池ケース３０、４０とが分離されているので、電池などの電源をキャンドル筒本体２１に収容することなく、模擬キャンドル２０のサイズをコンパクトにすることができる。なお、模擬キャンドル２０の長さと太さ、及び使用する個数についても特に限定するものではなく、クリスマスリースなどの装飾品のサイズに合わせて適宜選定すればよい。例えば、本実施形態においては、長さ８ｃｍ又は１２ｃｍの細身のキャンドル筒本体２１を使用した。このサイズのキャンドル筒本体２１には、電池と必要な回路とを内部に収容することができないことから、本考案の効果を顕著に発揮することができる。
【００３４】
キャンドル筒本体２１は、その内空部（図示しない）にＤＣ−ＤＣコンバータ、キャンドル制御回路、模擬炎遊動機構、及び、スポットライトを収容しており、模擬炎遊動機構の上端部に模擬炎２２が支持され、キャンドル筒本体２１の上方部に突出している。なお、模擬炎遊動機構については、特に限定するものではなく、模擬炎２２が遊動するように揺らす機構であればよい。本実施形態においては、上述の特許文献３で提案されているように、時間変化する電磁場を発生させる揺らぎコイルと永久磁石との組み合わせを採用する。
【００３５】
スポットライト（図示しない）は、遊動する模擬炎２２に照明を当てるものであって、模擬炎２２が実際に炎のように揺らぐ効果を演出する。このスポットライトは、キャンドル筒本体２１に内蔵されている。なお、本実施形態においては、スポットライトとしてＬＥＤライト（「炎ＬＥＤ」ともいう）を採用する。上述のように、ＬＥＤライトを採用することにより乾電池などの僅かの電源で長時間作動することができる。キャンドル制御回路は、模擬炎遊動機構の揺らぎコイルを制御して時間変化する電磁場を発生させるコイル駆動回路と、炎ＬＥＤの点灯を制御するＬＥＤ点灯回路とから構成されている。なお、キャンドル支持具については後述する。
【００３６】
また、図１において、２つの電池ケース３０、４０は、それぞれケース本体３１、４１と、蓋３２、４２と、ケース支持具３０ａ、４０ａ（後述する）から構成されている。ケース本体３１、４１は、それぞれ２本の乾電池を収容できる。なお、使用する乾電池の種類は、特に限定するものではないが、小さなサイズと電池の寿命とを考慮して単三電池を使用することが好ましい。
【００３７】
なお、本考案においては、ワイヤーライト１０による電飾と模擬キャンドル２０による電飾とを安定して作動させるために、単三電池を２本直列に接続して約３Ｖの電圧を確保することが好ましい。また、本考案においては、ワイヤーライト１０による電飾と模擬キャンドル２０による電飾とを長時間作動させるために、単三電池の２本直列を並列に接続した２直２並列の電源とすることが好ましい。なお、本実施形態においては、４本の単三アルカリ電池を２直２並列で使用することにより、タイマーで１日６時間の点灯を繰り返して約１か月の寿命を確認した。
【００３８】
また、本実施形態においては、単三電池を２本収容する小型の電池ケースを２つ使用する。電池ケースを２つ使用するのは、クリスマスリースなどの小型の装飾品の背面に２ヶ所（例えば、左右）に分離して安定に装着するためである。電池ケースを２つ使用し、それらのサイズが小さいことにより、小型の装飾品の正面から電池ケースが覗くということがなく、電飾効果をより効果的に演出することができる。なお、本実施形態においては、２つの電池ケースのうち電池ケース３０において、単三アルカリ電池を２本収容した上方の部分に上述の作動時間制御回路３５を収容している。このことにより、電池ケース３０の幅を広げることなく回路を収容することができる。
【００３９】
次に、本考案に係る電飾装置１００の電気回路について説明する。図２は、本考案に係る電飾装置１００の電気回路を示すブロック図である。図２において、電池ケース３０、４０には、それぞれ２本の単三電池が直列に配されている。また、これらの電池ケース３０、４０は、給電コード４３によって並列に配されている。このことにより、電池ケース３０、４０から給電コード３３を介して印加される電圧は約３Ｖとなるが、電池の起電力や使用による消耗により約１〜３．３Ｖ或いは更に広い範囲で変動することがある。
【００４０】
電池ケース３０、４０から配線された＋側と−側の２本からなる給電コード３３は、コネクタ２４（図２において省略）及び給電コード２３を介して、模擬キャンドル２０のキャンドル筒本体２１の内部に収容されたＤＣ−ＤＣコンバータ１５に接続される。ここで、ＤＣ−ＤＣコンバータ１５は、電池ケース３０、４０から印加される電圧を安定した定電圧に変換し、ワイヤーライト１０と模擬キャンドル２０とにそれぞれ印加する。
【００４１】
なお、本実施形態においては、以下の理由により電圧安定回路としてＤＣ−ＤＣコンバータ１５を採用する。本実施形態においては、できるだけ小さく、また少ない本数の電池でワイヤーライト１０と模擬キャンドル２０とを長時間作動させる。そのため、電池の消耗が大きくワイヤーライト１０と模擬キャンドル２０とに印加される電圧が低下してくる。
【００４２】
また、模擬キャンドル２０で使用する模擬炎遊動機構の揺らぎコイルは電圧の変動が大きく、この電圧変動が並列に接続されているワイヤーライト１０の電圧にも影響する。特に、長時間の使用で電池の電圧が低下した場合には、揺らぎコイルによる電圧変動の影響でワイヤーライト１０のリース用ＬＥＤ１２が不自然な点滅を生じることがある。そこで、少ない電力を長時間使用した場合でも、電圧が安定化し、節電効果の高いＤＣ−ＤＣコンバータ１５を採用した。
【００４３】
本実施形態においては、電池ケース３０、４０から印加される約１〜３．３Ｖの不安定な電圧を３．３Ｖの安定な電圧に変換して印加する。なお、電池ケース３０、４０に収容された２直２並列の４本の乾電池の起電力が３．３Ｖよりも大きい場合には、ＤＣ−ＤＣコンバータ１５は降圧回路として作動する。また、電池の消耗により２直２並列の４本の乾電池の電圧が３．３Ｖよりも小さくなった場合には、ＤＣ−ＤＣコンバータ１５は昇圧回路として作動する。
【００４４】
図２において、ＤＣ−ＤＣコンバータ１５から印加される３．３Ｖの安定した電圧は、キャンドル筒本体２１の内部に収容されたキャンドル制御回路２５に印加される。また、ＤＣ−ＤＣコンバータ１５から印加される３．３Ｖの安定した電圧は、給電コード１３及びコネクタ１４を介してワイヤーライト１０に印加される。
【００４５】
キャンドル制御回路２５は、模擬炎遊動機構の揺らぎコイル２６及び炎ＬＥＤ２７に安定した電力を供給する。なお、キャンドル制御回路２５のコイル駆動回路２５ａは、揺らぎコイル２６への電力を制御して時間変化する電磁場を発生させる。また、キャンドル制御回路２５のＬＥＤ点灯回路２５ｂは、炎ＬＥＤ２７への電力を制御する定電流回路である。
【００４６】
なお、図２において、ワイヤーライト１０に電力を供給する給電コード１３に抵抗１６が接続されている。これは、ＤＣ−ＤＣコンバータ１５から印加される３．３Ｖの電圧をワイヤーライト１０のリース用ＬＥＤ１２の容量に合わせて電圧調整するためのものである。
【００４７】
このように構成した電飾装置１００は、小さな２つの電池ケースでもって、ワイヤーライト１０による演出と模擬キャンドル２０による演出とを同時に安定して長時間作動することができる。また、この電飾装置１００は、コンパクトな構成であってクリスマスリースなどの装飾品を華やかに装飾することができる。
【００４８】
次に、このように構成した本実施形態に係る電飾装置１００をクリスマスリースに装着する工程を説明する。図３〜図５は、電飾装置１００をクリスマスリースに装着する各工程を示している。図３は、電飾装置１００の電池ケース３０、４０をクリスマスリース５０の背面に装着する状態を示す概要図である。また、図３Ａは、背面の全体図であり、図３Ｂは、その一部拡大図である。
【００４９】
図３Ａにおいて、クリスマスリース５０の背面の左側に電池ケース３０のケース本体３１を固定し、背面の右側に電池ケース４０のケース本体４１を固定する。図３Ｂは、ケース本体３１の固定部分の拡大図である。クリスマスリース５０の背面への電池ケース３０の装着には、どのような方法も用いてもよい。なお、本実施形態においては、ケース本体３１の左右に一体的に構成された２つの「コの字型」のケース支持具３０ａを結束用ワイヤー３６でクリスマスリース５０に固定することが好ましい。また、ケース本体３１と同様にしてケース本体４１のケース支持具４３をクリスマスリース５０の背面の右側に固定する。
【００５０】
次に、図４は、電飾装置１００のワイヤーライト１０をクリスマスリース５０の正面に装着する状態を示す概要図である。本実施形態においては、上述のように、２０球のリース用ＬＥＤ１２を備えたワイヤーライト１０を使用する。図４において、ワイヤーライト１０の給電ワイヤー１１をクリスマスリース５０の全体に巻き付ける。このとき、２０球のリース用ＬＥＤ１２の多くがクリスマスリース５０の表面側に出るように巻き付ける。
【００５１】
次に、図５は、電飾装置１００の模擬キャンドル２０をクリスマスリース５０の中央空間に装着する状態を示す概要図である。なお、図５は、クリスマスリース５０の下方部の背面側からの拡大図である。図５において、まず、模擬キャンドル２０の台座となるキャンドル支持具２８をクリスマスリース５０の下部上面の中央に背面側から固定する。
【００５２】
なお、キャンドル支持具２８の形状は、どのようなものであってもよい。また、クリスマスリース５０へのキャンドル支持具２８の固定には、どのような方法も用いてもよい。なお、本実施形態においては、「Ｌ字型」に成形されたキャンドル支持具２８をクリスマスリース５０の下部上面の中央に背面側から覆いかぶせるようにして結束用ワイヤー３６で固定することが好ましい。
【００５３】
次に、このようにして固定したキャンドル支持具２８の上面部２８ａに模擬キャンドル２０のキャンドル筒本体２１の下端部２１ａを乗せて固定する（図５参照）。なお、キャンドル支持具２８の上面部２８ａへのキャンドル筒本体２１の固定には、どのような方法も用いてもよい。なお、本実施形態においては、ホットメルト接着剤のスティックを熱融着させる器具であるグルーガン（登録商標）などを使用することが好ましい。
【００５４】
最後に、模擬キャンドル２０の給電コード１３とワイヤーライト１０とをコネクタ１４を介して接続する。また、模擬キャンドル２０の給電コード２３と電池ケース３０、４０の給電コード３３とをコネクタ２４を介して接続する。このようにして固定した模擬キャンドル２０は、クリスマスリース５０の正面中央空間に装着されている。最後に、電池ケース３０、４０に単三電池４本を収容して蓋３２、４２を被せる。
【００５５】
ここで、本実施形態に係る電飾装置１００を実際のクリスマスリースに装着した状態を実施例１により説明する。
【実施例１】
【００５６】
本実施例１においては、電飾装置１００を実際のクリスマスリース５０に装着した。図６は、電飾装置１００を装着した本実施例１に係るクリスマスリース５０を正面から写した写真である。また、図７は、本実施例１に係るクリスマスリース５０を背面から写した写真である。また、図８は、本実施例１に係るクリスマスリース５０を右側面から写した写真である。
【００５７】
正面側の図６においては、ワイヤーライト１０がクリスマスリース５０の全体に亘って巻き付けられ、リース用ＬＥＤ１２が均等に配置されている。但し、ワイヤーライト１０の給電ワイヤー１１は、クリスマスリース５０のリーフなどによってなるべく目立たないように配置されている。また、模擬キャンドル２０は、クリスマスリース５０の正面中央空間に配置されている。
【００５８】
また、図６においては、模擬キャンドル２０の模擬炎２２が炎ＬＥＤ２７からのスポットライトを受けて実際の炎のように揺らいでいる様子が確認できた。更に、クリスマスリース５０の正面からは、電池ケース３０、４０が見えないように配置されている。これらのことから、本実施例１によれば、クリスマスリース５０において、ワイヤーライト１０と模擬キャンドル２０とによる華やかな演出が実現できた。
【００５９】
一方、背面側の図７においては、ワイヤーライト１０がクリスマスリース５０の全体に亘って巻き付けられ、リース用ＬＥＤ１２が配置されている。また、模擬キャンドル２０は、キャンドル支持具２８の上面部２８ａに固定されてクリスマスリース５０の正面中央空間に配置されている。更に、電池ケース３０、４０は、ケース支持具３０ａ、４０ａによってクリスマスリース５０の背面下方の左右に分かれて固定されている。これらの電池ケース３０、４０は、小型であって、クリスマスリース５０の正面から目立たないように配置されている。また、給電コード１３、２３、３３、３４及びコネクタ１４、２４も、クリスマスリース５０の正面から目立たないように配置されている。
【００６０】
また、右側面側の図８においては、ワイヤーライト１０がクリスマスリース５０の全体に亘って巻き付けられ、リース用ＬＥＤ１２が配置されている。また、電池ケース３０、４０は、クリスマスリース５０の背面下方の左右に分かれて固定されている。これらの電池ケース３０、４０は、小型であって、クリスマスリース５０の正面から目立たないように配置されている。また、給電コード１３、２３、３３、３４及びコネクタ１４、２４も、クリスマスリース５０の正面から目立たないように配置されている。
【００６１】
以上、説明したように、本考案によれば、クリスマスリースなどの装飾品において、コンパクトな電源装置でワイヤーライトによる演出と模擬キャンドルによる演出とを同時に、且つ、安定して作動することができる電飾装置及びこれを用いた装飾品を提供することができる。
【００６２】
なお、本考案の実施にあたり、上記実施形態及び実施例１に限らず次のような種々の変形例が挙げられる。
（１）上記実施形態においては、バッテリーケースとして単三電子が２本収容できる電池ケースを２個使用したが、これに限るものではなく、リース用ＬＥＤと模擬キャンドルの出力を維持できるものであれば、電池の種類及びケースの形状につき任意に選定すればよい。但し、バッテリーケースが装飾品の正面から目立たないような形状とサイズを選定することが好ましい。
（２）上記実施形態においては、単三電池を４本使用したが、これに限るものではなく、リース用ＬＥＤと模擬キャンドルの出力を維持できるものであれば、電池の種類及び本数は任意に選定するようにしてもよい。
（３）上記実施形態においては、ワイヤーライトのリース用ＬＥＤは定電流で点滅しないものを使用したが、これに限るものではなく、リース用ＬＥＤを点滅させるための回路を併用するようにしてもよい。
（４）上記実施形態においては、２０球のリース用ＬＥＤを備えたワイヤーライトを使用したが、これに限るものではなく、クリスマスリースなどの装飾品のサイズに合わせてリース用ＬＥＤの個数及びワイヤーライトの長さを調製すればよい。なお、その場合には、電池ケースの電圧容量をリース用ＬＥＤの個数に合わせて調整する。
（５）上記実施形態においては、長さ８ｃｍ又は１２ｃｍの細身の模擬キャンドルを１本使用したが、これに限るものではなく、クリスマスリースなどの装飾品のサイズに合わせて模擬キャンドルの長さや太さ、及び本数を調製すればよい。なお、その場合には、電池ケースの電圧容量を模擬キャンドルの容量や個数に合わせて調整する。
（６）上記実施例１においては、装飾品としてクリスマスリースを使用したが、これに限るものではなく、他の装飾品、例えば、クリスマスツリー、花束、壁掛けなどにワイヤーライトと模擬キャンドルとによる電飾を利用するようにしてもよい。
【符号の説明】
【００６３】
１０…ワイヤーライト、１１…給電ワイヤー、１２…ＬＥＤライト（リース用ＬＥＤ）、
１３、２３、３３、４３…給電コード、１４、２４…コネクタ、
１５…ＤＣ−ＤＣコンバータ、２５…キャンドル制御回路、３５…作動時間制御回路、
２０…模擬キャンドル、２１…キャンドル筒本体、２２…模擬炎、２６…揺らぎコイル、２７…炎ＬＥＤ、２８…キャンドル支持具、
３０、４０…電池ケース、３１、４１…ケース本体、３２、４２…蓋、
３０ａ、４０ａ…ケース支持具、
３６…結束用ワイヤー、５０…クリスマスリース、１００…電飾装置。
【図１】
0003205849.tif 000003
【図２】
0003205849.tif 000004
【図３】
0003205849.tif 000005
【図４】
0003205849.tif 000006
【図５】
0003205849.tif 000007
【図６】
0003205849.tif 000008
【図７】
0003205849.tif 000009
【図８】
0003205849.tif 000010